(57)【要約】【課題】被監視サイトにおける重要監視エリアを確実に監視できる映像監視システムを提供する。【解決手段】駅舎サイト１〜ｎの重要監視エリアであるホーム監視カメラ２ａが撮影するホームや改札口等の映像データを、監視用画面８Ａ、８Ｂのカメラ表示部８Ａａ、８Ａｂ、８Ｂａ、８Ｂｂの分割表示される表示装置の所定位置へ継続して表示させるようにした。【選択図】図１
2015159503.tif 000002
【特許請求の範囲】
【請求項１】
被監視サイトである建物及び駅舎に設けられる複数台の監視カメラとこれらの監視カメラの映像データを、監視サイトに配設される表示装置へ複数の映像データを同時に分割表示させるとともに、所定時間間隔で他の映像データの表示へ切り換えるようにした映像監視システムにおいて、
前記複数台の監視カメラでセキュリティ上重要なエリアを撮影する監視カメラを設定する重要エリア監視設定手段と、
この重要エリア監視設定手段で設定された当該監視カメラの映像データを、前記表示装置の分割表示される所定位置へ表示させるとともに、他の映像データへの表示切換えを排除する表示位置指定手段と、
を備えたことを特徴とする映像監視システム。
【請求項２】
請求項１に記載の映像監視システムにおいて、
前記重要エリア監視設定手段で設定する前記監視カメラの台数は、前記表示装置へ同時に表示可能な分割数より少ないことを特徴とする映像監視システム。
【発明の詳細な説明】
【技術分野】
【０００１】
本発明は、映像監視システムに関する。
【背景技術】
【０００２】
被監視サイトに設けた監視カメラが複数台の場合、監視サイトに設けた表示装置を分割して映像表示部を例えば４個設け、被監視サイト毎に同一画面で４台の監視カメラの映像表示がなされる。
【０００３】
また、表示装置の映像表示部が４個に対し監視カメラが８台の場合、監視カメラ８台の映像を４個の映像表示部に所定時間間隔毎に切り換えて表示させるようしている。
【０００４】
また、被監視サイトの監視カメラが撮影するエリアに事故や異常が発生すると、このエリアの監視カメラの映像を、４個に分割された映像表示部の所定位置である例えば左上に表示させるものが提案されている（特許文献１および特許文献２参照）。
【先行技術文献】
【特許文献】
【０００５】
【特許文献１】特開２００３−２５６０３２号公報
【特許文献２】特開平０９−１７２６３０号公報
【発明の概要】
【発明が解決しようとする課題】
【０００６】
上述の技術は、事故や異常が発生したエリアを撮影している監視カメラの映像を映像表示部の所定位置に表示するようにしているが、被監視サイトによってはセキュリティの関係に重要なエリアを撮影している監視カメラが存在するので、異常発生したエリアの監視カメラの映像に割り込まれると、セキュリティ上重要なエリアの監視が疎かとなる問題があった。
【０００７】
本発明の目的は、被監視サイトにおける重要監視エリアを確実に監視できる映像監視システムを提供することにある。
【課題を解決するための手段】
【０００８】
上記の目的を達成するために、本発明は、被監視サイトである建物及び駅舎に設けられる複数台の監視カメラとこれらの監視カメラの映像データを、監視サイトに配設される表示装置へ複数の映像データを同時に分割表示させるとともに、所定時間間隔で他の映像データの表示へ切り換えるようにした映像監視システムにおいて、
前記複数台の監視カメラでセキュリティ上重要なエリアを撮影する監視カメラを設定する重要エリア監視設定手段と、
この重要エリア監視設定手段で設定された当該監視カメラの映像データを、前記表示装置の分割表示される所定位置へ表示させるとともに、他の映像データへの表示切換えを排除する表示位置指定手段と、
を備えたことを特徴とする。
【発明の効果】
【０００９】
本発明によれば、被監視サイトの重要エリア監視設定手段で設定された監視カメラの映像データは、表示装置の分割表示される所定位置へ継続して表示させるようにしたので、監視員がセキュリティ上重要なエリアでの異常発生を確実に監視でき、速やかなる対応指示が行える。
【図面の簡単な説明】
【００１０】
【図１】本発明の一実施形態に係る映像監視システムの構成を示す図である。
【図２】本発明の一実施形態における表示装置に表示された監視用画面を示す図である。
【図３】本発明の一実施形態に係る表示装置に表示された監視用画面（カメラ映像巡回後）を示す図である。
【図４】本発明の一実施形態の動作を説明するフローチャートである。
【発明を実施するための形態】
【００１１】
以下、本発明に係る映像監視システムを実施するための形態を図に基づいて説明する。
【００１２】
図１〜図３において、被監視サイトである複数の駅舎サイト１〜ｎと、これらの複数の駅舎サイト１〜ｎと通信回線として例えばインターネット網１４を介して接続され、各駅舎サイト１〜ｎを遠隔的に監視する監視サイト７と、これらの複数の駅舎サイト１〜ｎ及び監視サイト７とインターネット網１４を介して接続され、各駅舎サイト１〜ｎ及び監視サイト７と各種の情報を送受信して管理するデータセンタ１０とを備えている。
【００１３】
各駅舎サイト１〜ｎは、例えば対応する駅舎のホームや改札口や券売機等の状況を撮影する複数の監視カメラ２ａ〜２ｎによって撮影された映像を、映像データとして記録する記録装置３と、この記録装置３に記録された映像データ（ここで、映像データは、監視カメラ２ａ〜２ｎによって撮影されたリアルタイムの映像も含む）を記録装置３から取出すカメラサーバ４と、このカメラサーバ４が取出した映像データをインターネット網１４を介して監視サイト７へ送信したり、監視サイト７から指令を受信するためにインターネット網１４との通信の接続を行う通信装置５とを有している。
【００１４】
一方、各駅舎サイト１〜ｎのカメラサーバ４は、記録装置３を介して取得した監視カメラ２ａ〜２ｎの映像データを、通信装置５及びインターネット網１４を介して監視サイト７へ送信するとともに、監視サイト７の指令を受け、予め定めたホーム監視カメラ２ａが撮影して記録装置３へ記録した映像データを、監視サイト７へ送信する。
【００１５】
また、データセンタ１０は、インターネット網１４との通信の接続を行う通信装置１３と、データセンタ１０内の機器を制御するＣＰＵ１１と、データセンタ１０や監視サイト内の機器の制御情報を少なくとも記憶するデータベース１２とを有している。
【００１６】
一方、監視サイト７は、監視サイト７に設置される各機器の制御を行い、特に、インターネット網１４と通信装置５を介して各駅舎サイト１〜ｎのカメラサーバ４との通信を指令し、記録装置３に記憶されている映像データの取込みを遠隔的に行ったり、後述する優先表示設定に従って監視カメラ２ａ〜２ｎの映像の表示方法を設定する制御装置１５と、各駅舎サイト１〜ｎに設けた監視カメラ２ａ〜２ｎの映像を表示する表示装置８と、制御装置１５の指令により、表示装置８に表示する表示画面である図２に示す監視用画面８Ａ及び後述する図３に示す巡回後の監視用画面８Ｂとを切替える画面表示指令装置１６と、各駅舎サイト１〜ｎに設けた監視カメラ２ａ〜２ｎの映像の優先表示設定を制御装置１５に入力する入力装置６と、インターネット網１４との通信の接続を行う通信装置９と、監視サイト７の動作等のプログラムを格納する記憶部１７とで構成されている。
【００１７】
次に、図２に示す監視用画面８Ａは、駅舎サイト１〜ｎに設置された複数の監視カメラ２ａ〜２ｎの映像を、駅舎サイト１〜ｎ毎に表示するリアルタイム映像データ表示部であるカメラ映像表示部８Ａａ，８Ａｂ，８Ａｃ，８Ａｄが、例えば左右上下の４箇所に配置されている。
【００１８】
ここで、右上側のカメラ映像表示部８Ａｂにはホームのアップ映像を撮影するホーム監視カメラ２ａで撮影されたリアルタイムの映像が表示され、左上側のカメラ映像表示部８Ａａには改札口を撮影するカメラのリアルタイムの映像が、左下側のカメラ映像表示部８Ａｃにホーム全体を撮影するカメラ２ｂのリアルタイムの映像が表示され、右下側のカメラ映像表示部８Ａｄに券売機を撮影するカメラのリアルタイムの映像が表示される。
【００１９】
また、監視用画面８Ａは、カメラ映像表示部８Ａａ〜８Ａｄの右上にそれぞれ設けられ、各カメラ映像表示部８Ａａ〜８Ａｄに表示された映像を拡大して１画面表示に切替える拡大釦８Ａｅと、監視する駅舎サイトを次の駅舎サイトに切替える表示サイト変更ボタン８Ａｆと、監視用画面８Ａからログアウトし、表示装置８に表示される映像による監視業務を終了させるログアウトボタン８Ａｇとを有している。
【００２０】
なお、監視用面面８Ａのカメラ映像表示部８Ａａ〜８Ａｄに表示される映像は、例えば両面表示指令装置１６の指令である所定時間毎である例えば３分毎に、表示対象とするカメラ２ａ〜２ｎを順次切替えて表示されるようになっている。即ち、監視時の画面表示指令装置１６は、駅舎サイトに設けられる監視カメラ２ａ〜２ｎが撮影するリアルタイムの映像を、所定時間である例えば３分間隔でカメラ映像表示部８Ａａ〜８Ａｄへ表示させるものである。
【００２１】
次に、図３に示す監視用画面８Ｂは、監視用画面８Ａを表示してから所定時間である例えば３分経過した後の監視用画面であり、駅舎サイト１〜ｎに設置された複数の監視カメラ２ａ〜２ｎの映像を、駅舎サイト１〜ｎ毎に表示するリアルタイム映像データ表示部であるカメラ映像表示部８Ｂａ，８Ｂｂ,８Ｂｃ，８Ｂｄが、例えば左右上下の４箇所に配置されている。
【００２２】
ここで、右上側のカメラ映像表示部８Ｂｂにはホームのアップ映像を撮影するホーム監視カメラ２ａで撮影されたリアルタイムの映像が、左上側のカメラ映像表示部８Ｂａに改札口を撮影するカメラのリアルタイムの映像が、左下側のカメラ映像表示部８Ｂｃにホーム全体を撮影するカメラ２ｃのリアルタイムの映像が右下側のカメラ映像表示部８Ｂｄにホーム全体を撮影するカメラ２ｄのリアルタイムの映像が、それぞれ表示されるようになっている。
【００２３】
また、監視用画面８Ｂは、カメラ映像表示部８Ｂａ〜８Ｂｄの右上にそれぞれ設けられ、各カメラ映像表示部８Ｂａ〜８Ｂｄに表示された映像を拡大して１画面表示に切替える拡大釦８Ｂｅと、監視する駅舎サイトを次の駅舎サイトに切替える表示サイト変更ボタン８Ｂｆと、監視用画面８Ｂからログアウトし、表示装置８に表示される映像による監視業務を終丁させるログアウトボタン８Ｂｇとを有している。
【００２４】
なお、監視用画面８Ｂのカメラ映像表示部８Ｂａ〜８Ｂｄに表示される映像は、例えば画面表示指令装置１６の指令である所定時間毎である例えば３分毎に、表示対象とするカメラ２ａ〜２ｎを順次切替えて表示されるようになっている。即ち、監視時の画面表示指令装置１６は、駅舎サイトに設けられる監視カメラ２ａ〜２ｎが撮影するリアルタイムの映像を、所定時間である例えば３分間隔でカメラ映像表示部８Ｂａ〜８Ｂｄへ表示させるものである。
【００２５】
ここで監視用画面８Ｂのカメラ映像表示部８Ｂａおよび８Ｂｂに表示される監視カメラ２ａおよび監視カメラ２ｂの映像は、予め制御装置１５によって優先表示設定がされており、監視用画面８Ａから監視用画面８Ｂに切り替わっても監視カメラの映像は固定された位置に継続表示される。
【００２６】
次に、図４のフローチャートに基づいて本実施形態の動作の説明を行う。
【００２７】
図４において、監視員は、駅舎サイト１〜ｎから監視を行う駅舎サイトを指定する（ステップＳ１）。
【００２８】
制御装置１５は当該サイトの監視カメラ２ａ〜２ｎのリアルタイムの映像データをカメラサーバ４から取得する（ステップＳ２）。
【００２９】
制御装置１５は、ステップＳ２において取得した映像データを参照し（ステップＳ３）、予め優先設定されている場合は、画面配置指令信号を画面表示指令装置１６へ送信し、当該の映像データを監視用画面８Ａのカメラ映像表示部８Ａａに配置する（ステップＳ４）。
【００３０】
また、制御装置１５は、ステップＳ３およびステップＳ４において、当該サイトで予め優先設定されているカメラ映像を８Ａａ、８Ａｂ、８Ａｃの順に配置していく。ここで、優先設定できるカメラ映像の数は、監視用画面８Ａにて分割表示される監視両面数より少ないものとし、優先設定が監視画面数を超えた場合は、監視画面数を４から６、または８に増やせば良い。
【００３１】
次に、ステップＳ３にて、取得した映像データが優先設定されていない場合、制御装置１５は、画面配置指令信号を画面表示指令装置１６へ送信し、監視用画面８Ａの優先設定により配置されたカメラ映像以外の箇所、例えばカメラ映像表示部８Ａｃに配置する（ステップＳ５）。ここで、ステップＳ５において、制御装置１５は、監視用画面８Ａにて分割表示される監視画面が全て埋まるまで若しくは当該駅舎サイトの全てのカメラ映像を表示するまで、カメラ映像を配置していく。
【００３２】
次に、監視用両面８Ａにおいて設定された所定時間である例えば３分経過すると（ステップＳ６）、制御装置１５は、両面再配置指令信号を画面表示指令装置１６へ送信し、映像データの再配置処理を開始し、監視用画面８Ａの例えばカメラ映像表示部８Ａａに表示されている映像データを参照して（ステップＳ７）、予め優先設定されている場合は、画面配置指令信号を画面表示指令装置１６へ送信し、当該の映像データを監視用画面８Ｂの同じ配置箇所であるカメラ映像表示部８Ｂａに配置した後（ステップＳ４）、ステップＳ７にて、制御装置１５は、当該サイトで予め優先設定されている全てのカメラ映像を監視用画面８Ｂの所定の位置に再配置していく。
【００３３】
次に、ステップＳ７にて制御装置１５は、参照した映像データが優先設定されていない場合、当該サイトの監視カメラ２ａ〜２nのリアルタイムの映像データから監視用画面８Ａにて表示されていなかった映像データをカメラサーバ４から取得し（ステップＳ８）、画面配置指令信号を画面表示指令装置１６へ送信し、監視用画面８Ｂの優先設定にて配置されたカメラ映像以外の箇所である例えばカメラ映像表示部８Ｂｃに配置する（ステップＳ５）。ここで、ステップＳ５にて、制御装置１５は、監視用画面８Ｂにて分割表示される監視画面が全て埋まるまで若しくは当該駅舎サイトの全てのカメラ映像を表示するまで、カメラ映像を配置していく。
【００３４】
このようにステップＳ５からステップＳ８を繰り返し、当該駅舎サイトで優先設定されていないカメラ映像は、設定された所定時間である３分毎に順番に切り換わって表示される。
【００３５】
なお、本実施形態では駅舎サイトを例に挙げているが、ビル等その他の監視サイトにも対応可能である。
【００３６】
本実施形態によれば、駅舎サイト１〜ｎにおける重要監視エリアであるホーム監視カメラ２ａが撮影するホームや改札口等を監視用画面８Ａ、８Ｂのカメラ表示部８Ａａ、８Ａｂ、８Ｂａ、８Ｂｂの映像にて確実に監視でき、監視サイト７の図示しない監視員は、セキュリティ上重要なエリアでの異常を見逃さず、速やかに対応指示が行える。
【符号の説明】
【００３７】
１〜ｎ  駅舎サイト
２ａ〜２n  監視カメラ
３  記録装置
４  カメラサーバ
５，９，１３  通信装置
６  入力装置
７  監視サイト
８  表示装置
８Ａ，８Ｂ  監視用画面
８Ａａ〜８Ａｄ,８Ｂａ〜８Ｂｄ  カメラ映像表示部
８Ａｅ，８Ｂｅ  拡大ボタン
８Ａｆ，８Ｂｆ  表示サイト変更ボタン
８Ａｇ，８Ｂｇ  ログアウトボタン
１０  データセンタ
１１  ＣＰＵ
１２  ＤＢ
１４  インターネット網
１５  制御装置
１６  画面表示指令装置
１７  記憶部
Ａ  列車
【図１】
2015159503.tif 000003
【図２】
2015159503.tif 000004
【図３】
2015159503.tif 000005
【図４】
2015159503.tif 000006